(57)【要約】　　　（修正有）【課題】従来のプラグの略Ｌ字形ばね片をその接点にジャックの進入方向の負荷を加えると該ばね片はどうしても斜上方に偏位して反曲するため、不自然な方向の力が加わることになり、特に多連型プラグの場合多数のプラグが連装されているため、重大な課題となっていた。【解決手段】プラグ本体２に複数のプラグ１を等間隔に列設した多連型プラグＤにおいて、ばね片を略Ｓ字形に曲成して上片９ａ、中片９ｂ、及び下片９ｃからなるＳ形ばね部９を形成すると共に、基部８とその先端に連続したＳ形ばね部９の下片９ｃの後方反曲をプラグ本体２の受止部１０が規制するように備え、プラグ１を備えた多連型プラグＤに対する多連型ジャックＥの嵌着操作により、ジャック４の接点４ａがプラグ１の接点１ａに圧接（ＯＮ）しつつ直進すると、その負荷でプラグ１の接点１ａ及び接点部７がＳ形ばね部９の上片９ａ及び中片９ｂを撓めて接点１ａの進入方向と同直線方向に後退動する。【選択図】図１
2004022406.tif 000002
【特許請求の範囲】
【請求項１】
プラグ本体に複数のプラグを等間隔に列設した多連型プラグに対し、ジャック本体に多連型プラグのプラグと同数のジャックを等間隔に列設した多連型ジャックを、両本体の左右端に相対して形成した凸部若しくは凹部を嵌着する等の連結手段により、複数のプラグとジャックの各接点を同時圧接（ＯＮ）するように備えたものの、多連型プラグにおいて、
プラグを、狭長なばね片の先端を接点とした直線状の接点部と、プラグ本体に垂直樹立した基部の先端との間のばね片を略Ｓ字形に曲成して上片、中片、及び下片からなるＳ形ばね部を形成すると共に、基部とその先端に連続したＳ形ばね部の下片の後方反曲をプラグ本体の受止部が規制するように備えたものであり、上記プラグを備えた多連型プラグに対する多連型ジャックの嵌着操作により、ジャックの接点がプラグの接点に圧接（ＯＮ）しつつ直進すると、その負荷でプラグの接点及び接点部がＳ形ばね部の上片及び中片を撓めて、プラグの接点の進入方向と同直線方向に後退動するように備えたことを特徴とする、
多連型プラグのプラグ。
【請求項２】
狭長なばね片を上片、中片、及び下片からなる略Ｓ字形に曲成して設けたＳ形ばね部の上片の先端から略直角に直線状の接点部を延長し、該接点部の先端をジャックの接点に圧接（ＯＮ）する接点とし、また、下片の下端をそのまま直線状に延長してプラグ本体に直樹立固定する基部とすると共に、その下端をプラグ本体外に突出して外部接続の端子としたものである、
請求項１の多連型プラグのプラグ。
【発明の詳細な説明】
【０００１】
【産業上の利用分野】
各種電子機器の回路接続パーツとして、プラグ本体（絶縁性プラスチック）に複数（例、８回路、１４回路等）のプラグを等間隔に列設した各連型プラグと同数のジャックを等間隔に列設した各連型プラグを連結することにより複数のプラグとジャックの接点を同時圧接（複数回路を同時ＯＮ）ようにしたものが広く使用されているが、本発明は該多連型プラグのプラグの構成に係るものである。
【０００２】
【従来の課題】
従来、一般的に使用されている各連型プラグのジャックは、例えば図１１に示すような、先端を接点１０１ａとした狭長なばね片を略Ｌ字形に折り曲げ形成した接点部１０７と基部１０８からなるプラグ１００の基部１０８をプラグ本体１０２に垂直に樹立固定し、その下端をプラグ本体外に突出して外部接続の端子１０１ｂとしたものである。
【０００３】
そして、回路閉成のため相手方の多連型ジャックと上記多連型プラグを嵌着すると、ジャックの接点が直進してきてプラグの接点に接触（ＯＮ）すると共に、ジャックの接点が更に直進してプラグの接点に圧接しつつ該接点をばね片の弾力に抗して反曲後退せしめ、よってプラグの復元弾力で両接点の圧接（ＯＮ）状態を安定的に維持するようにしたものである。
【０００４】
ところが、上記従来のプラグの略Ｌ字形ばね片をその接点にジャックの進入方向である直線方向の負荷を加えて反曲後退動させると、基部をプラグ本体に固定した該ばね片はどうしても図１１に示すように斜上方に偏位して反曲するため、その接点はジャックの進入方向と同じ直線方向に後退することができず、斜上方に向かって反曲後退せざるを得ないことになる。
また、上記の反曲後退動したばね片が負荷の解放で復元動する場合も上記と同じである。
【０００５】
そのため、端子の後退及び復元動に不自然な方向の力が加わることによなり、特に接点の移動スパンが長い場合にその傾向が顕著であり、よって、その悪影響も大になる。
【０００６】
また、該プラグの接点若しくは接点部がプラグ本体に形成されたばね片をガイドするガイド孔の中を後退、復元動する場合は、ガイド孔の内壁面と強い摩擦抵抗を生じて、その移動動作が重くなってスムーズでなくなる上に、ばね片の損傷、変形、耐久性の劣化及びプラグ本体側の魔耗変形、ガタつきなどを生じ、特にプラグは多連型プラグとして多数（例、８回路，１４回路等）のプラグが連装されているため、多連型プラグ全体としてはプラグ単体の上記課題が８倍、１４倍されることになるため、この点が従来の重大な課題となっていたものである。
【０００７】
【発明が解決した課題】
そこで、本発明は、プラグを従来の略Ｌ字形から全く変更して、先端を接点とした接点部と略Ｓ字形に曲成した上片、中片及び下片からなるＳ形ばね部とプラグ本体に樹立固定する基部で構成したものである。
【０００８】
即ち、図１０に示すように、狭長なＳ字形の板ばねの上片にその中心線方向の負荷を加えると、Ｓ字形の板ばねが中心線上を屈縮する性質を利用することによって、回路接続操作時にジャックの接点が直線方向に接触（ＯＮ）してくると、該接点に接触し負荷されたプラグの接点が、Ｓ形ばね部の屈縮でジャックの接点の進行方向と同一直線上をスムーズに後退できるように備えて、上記従来の課題を解決したものである。
【０００９】
また、ばね片をＳ字形に曲成することにより必然的にばね片のばね作用を行う部分のスパンを従来のＬ字形ばね片に比し略２倍長に形成することができ、従って、接点の後退動スパンを長く設定できて、プラグとしての汎用性を向上すると共に、ばね作用をばね片の長いスパンで行うため、長期間使用によるばね片の弾性劣化、変形を減少して、耐久性を格段に向上して、課題を解決したものである。
【００１０】
【課題を解決する手段】
即ち、本発明は、プラグ本体に複数のプラグを等間隔に列設した多連型プラグに対し、ジャック本体に多連型プラグのプラグと同数のジャックを等間隔に列設した多連型ジャックを、両本体の左右端に相対して形成した凸部若しくは凹部を嵌着する等の連結手段により、複数のプラグとジャックの各接点を同時圧接（ＯＮ）するように備えたものの、多連型プラグにおいて、
【００１１】
プラグを、狭長なばね片の先端を接点とした直線状の接点部と、プラグ本体に垂直樹立した基部の先端との間のばね片を略Ｓ字形に曲成して上片、中片、及び下片からなるＳ形ばね部を形成すると共に、基部とその先端に連続したＳ形ばね部の下片の後方反曲をプラグ本体の受止部が規制するように備えたものであり、
【００１２】
上記プラグを備えた多連型プラグに対する多連型ジャックの嵌着操作により、ジャックの接点がプラグの接点に圧接（ＯＮ）しつつ直進すると、その負荷でプラグの接点及び接点部がＳ形ばね部の上片及び中片を撓めて、プラグの接点の進入方向と同直線方向に後退動するように備えたことを特徴とする、多連型プラグのプラグによって、課題を解決したものである。
【００１３】
【実施例】
プラグ本体２に複数のプラグ１を等間隔に列設した多連型プラグＤに対し、ジャック本体３に多連型プラグＤのプラグ１と同数のジャック４を等間隔に列設した多連型ジャックＥを、両本体の左右端に相対して形成した凸部５若しくは凹部６を嵌着する等の連結手段により、複数のプラグ１とジャック４の接点１ａ、４ａを同時圧接（ＯＮ）するように備えたものの、多連型プラグＤにおいて、（多連型プラグＤは図３〜図６、多連型ジャックＥは図７、図８を参照）
【００１４】
プラグ１を、狭長なばね片の先端を接点１ａとした直線状の接点部７と、プラグ本体２に垂直樹立した基部８の先端との間のばね片を略Ｓ字形に曲成して上片９ａ、中片９ｂ、及び下片９ｃからなるＳ形ばね部９を形成すると共に、基部８とその先端に連続したＳ形ばね部９の下片９ｃの後方反曲をプラグ本体２の受止部１０が規制するように備えたものであり、（図６、図１、図５、図１０を参照）
【００１５】
上記プラグ１を備えた多連型プラグＤに対する多連型ジャックＥの嵌着操作により、ジャック４の接点４ａがプラグ１の接点１ａに圧接（ＯＮ）しつつ直進すると、その負荷でプラグ１の接点１ａ及び接点部７がＳ形ばね部９の上片９ａ及び中片９ｂを撓めて接点１ａの進入方向と同直線方向に後退動するように備えた、多連型プラグのプラグである。（図１〜図２、図１０を参照）
【００１６】
上記多連型プラグのプラグ１において、図示例プラグ１は狭長なばね片を上片９ａ、中片９ｂ，及び下片９ｃからなる略Ｓ字形に曲成して設けたＳ形ばね部９の上片９ａの先端から略直角に直線状の接点部７を延長し、該接点部７の先端をジャック４の接点４ａに圧接（ＯＮ）する接点１ａとし、また、下片９ｃの下端をそのまま直線状に延長してプラグ本体２に垂直樹立固定する基部８とすると共に、その下端をプラグ本体３外に突出して外部接続の端子１ｂとしたものである。（図６を参照）
【００１７】
【作用】
まず、プラグ本体２に複数のプラグ１を等間隔に列設した多連型プラグＤに対し、ジャック本体３に多連型プラグＤのプラグ１と同数のジャック４を等間隔に列設した多連型ジャックＥを、例えば、両本体の左右端に相対して形成した凸部５若しくは凹部６を嵌着する等の連結手段により嵌着して、夫々のプラグＤとジャックＥの接点を同時圧接（ＯＮ）する。（図１〜図２）
【００１８】
多連型プラグＤと多連型ジャックＥの上記の嵌着操作により、多連型ジャックＥのジャック４の接点４ａが多連型プラグＤのプラグ１の接点１ａに圧接（ＯＮ）しつつ直進し、その負荷で、両接点１ａ、４ａは圧接（ＯＮ）したまま、プラグ１の接点１ａ及び接点部７がＳ形ばね部９の上片９ａ及び中片９ｂを撓めて、接点４ａの進入方向と同直線方向に後退動するものである。（図２、図１０）
【００１９】
【効果】
本発明は、プラグを従来の略Ｌ字形から全く変更して、先端を接点とした接点部と略Ｓ字形に曲成した上片、中片及び下片からなるＳ形ばね部とプラグ本体に樹立固定する基部で構成したものであるため、図１０に示すように、狭長なＳ字形の板ばねの上片にその中心線方向の負荷を加えると、Ｓ字形の板ばねが中心線上を屈縮する性質を利用することによって、回路接続操作時にジャックの接点が直線方向に接触（ＯＮ）してくると、該接点に接触し負荷されたプラグの接点が、Ｓ形ばね部の屈縮でジャックの接点の進行方向と同一直線上をスムーズに後退できるように備えることができ、それによって従来の課題を解決できた。
【００２０】
また、ばね片をＳ字形に曲成することにより必然的にばね片のばね作用を行う部分のスパンを従来のＬ字形ばね片に比し略２倍長に形成することができ、従って、接点の後退動スパンを長く設定できて、プラグとしての汎用性を向上すると共に、ばね作用をばね片の長いスパンで行うため、長期間使用によるばね片の弾性劣化、変形を減少して、耐久性を格段に向上して、課題を解決できる優れた効果がある。
【図面の簡単な説明】
【図１】本発明実施例多連型プラグの縦断面拡大図で、図３の正面図のＡ−Ａ線断面矢視図である図５と、図７の正面図のＣ−Ｃ線断面矢視図である図９を相対した図。
【図２】図１の作用説明図で、多連型プラグと多連型ジャックを嵌着して両接点を圧接（ＯＮ）した状態を示す図。
【図３】本発明を実施した多連型プラグの正面図、平面図、及び底面図。
【図４】図３の右側側面図。
【図５】図３の正面図のＡ−Ａ線断面矢視図。
【図６】本発明プラグの実施例の正面図、平面図、右側面図、及び左側面図。
【図７】多連型ジャックの正面図、平面図、底面図及び右側面図。
【図８】図７のＢ−Ｂ線断面矢視図。
【図９】図７のＣ−Ｃ線断面矢視図。
【図１０】本発明の略Ｓ字形プラグの作用説明図。
【図１１】従来の略Ｌ字形プラグの作用説明図。
【符号の説明】
Ｄ　多連型プラグ
Ｅ　多連型ジャック
１　　プラグ
１ａ　　　接点
１ｂ　　端子
２　　プラグ本体
３　　ジャック本体
４　　ジャック
４ａ　　接点
５　　凸部
６　　凹部
７　　接点部
８　　基部
９　　Ｓ形ばね部
９ａ　上片
９ｂ　中片
９ｃ　下片
１０　受止部
以下従来のプラグ
１００　　プラグ
１０１ａ　　接点
１０１ｂ　　端子
１０２　　プラグ本体
１０７　　接点部
１０８　　基部
【図１】
2004022406.tif 000003
【図２】
2004022406.tif 000004
【図３】
2004022406.tif 000005
【図４】
2004022406.tif 000006
【図５】
2004022406.tif 000007
【図６】
2004022406.tif 000008
【図７】
2004022406.tif 000009
【図８】
2004022406.tif 000010
【図９】
2004022406.tif 000011
【図１０】
2004022406.tif 000012
【図１１】
2004022406.tif 000013